(57)【要約】【課題】選択された発射手段５０への玉の供給を行うことができるパチンコ機１を提供する。【解決手段】パチンコ機１は、盤面１０の上部左右の異なる排出口１１，１２から玉を打ち出すことが可能な右側及び左側発射手段５１，５２と、発射手段５１，５２を操作するハンドル３０を有する。また、発射手段５１，５２のうちの何れか一つまたは複数の発射手段５１，５２へ玉を送り込むために可動する傾斜部２１，２２を有する玉入れ部２０を備える。傾斜部２１，２２が右側発射手段５１又は左側発射手段５２、若しくは右側及び左側発射手段５１，５２の双方に向かって傾斜するように可動する。【選択図】図１
2016158791.tif 000002
【特許請求の範囲】
【請求項１】
盤面上に玉を打ち出して遊技する遊技機において、
前記盤面上の異なる箇所に玉を打ち出す少なくとも二つの発射手段と、
前記発射手段を操作する操作部と、
前記発射手段のうちの何れか一つまたは複数の前記発射手段へ玉を送り込むために可動する傾斜部を有する玉入れ部と、
を備えることを特徴とする遊技機。
【請求項２】
前記遊技機は、
前記傾斜部を可動させる駆動手段と、
前記発射手段を選択する選択スイッチと、
前記選択スイッチが操作されることによって選択された前記発射手段へ玉が送り込まれるよう前記駆動手段を駆動する制御部と、
をさらに備えることを特徴とする請求項１記載の遊技機。
【請求項３】
前記発射手段は、前記盤面の右側から玉を打ち出す第１発射手段と、前記盤面の左側から玉を打ち出す第２発射手段と、を有し、
前記操作部は、前記第１または第２発射手段の何れか一方を操作する第１操作部と、前記第１または第２発射手段の何れか他方を操作する第２操作部と、を有し、
前記制御部は、前記選択スイッチによる前記第１及び第２発射手段の選択結果に基づいて前記第１及び第２操作部からの操作信号の受信可否を決定すること
を特徴とする請求項２記載の遊技機。
【発明の詳細な説明】
【技術分野】
【０００１】
本発明は、盤面上に玉を打ち出して遊技するパチンコ機等に代表される遊技機に関する。
【背景技術】
【０００２】
一般にパチンコ機等の遊技機は、玉を打ち出すために操作するハンドルが遊技機の正面右下に設けられ、打ち出された球は左上部から盤面に排出される。しかし、左利きの遊技者にとっては、右側に設置されたハンドルは操作し難い。このため、左右両側にハンドルが設けられた遊技機がこれまでに提案されている。
【０００３】
また、盤面の左右両側から盤面上に玉を排出できるように左右両側の発射レール及び発射手段が設けられた遊技機が知られている（例えば、特許文献１参照）。この特許文献１に記載の遊技機は、遊技機の左右両側にハンドルが設けられており、盤面上への玉の排出位置と使用したいハンドルとを切り換えスイッチで切り換えることで、遊技者の好みに応じて使い分けができる。
【先行技術文献】
【特許文献】
【０００４】
【特許文献１】特開平６−１７００３８号公報
【発明の概要】
【発明が解決しようとする課題】
【０００５】
しかしながら、特許文献１に記載の遊技機は、切り換えスイッチで切り換えを行ったとしても、選択した発射手段に玉が供給できない。すなわち、切り換えスイッチで玉の排出位置を選択したとしても、排出位置に対応した発射手段への玉の供給が途絶えると、遊技が中断してしまう。
【０００６】
本発明は、このような問題に対処することを課題の一例とするものである。すなわち、選択された発射手段への玉の供給を行うこと、などを目的とする。
【課題を解決するための手段】
【０００７】
このような目的を達成するために、本発明による振動アクチュエータは、以下の構成を少なくとも具備するものである。
盤面上に玉を打ち出して遊技する遊技機において、盤面上の異なる箇所に玉を打ち出す少なくとも二つの発射手段と、発射手段を操作する操作部と、発射手段のうちの何れか一つまたは複数の発射手段へ玉を送り込むために可動する傾斜部を有する玉入れ部と、を備えることを特徴とする。
【発明の効果】
【０００８】
本発明によれば、選択された発射手段への玉の供給を行うことができる遊技機を提供することができる。
【図面の簡単な説明】
【０００９】
【図１】本発明の実施形態に係るパチンコ機の一例を示す正面図。
【図２】図１に示したパチンコ機の要部を示す説明図。
【図３】図１に示したパチンコ機の要部を示す説明図。
【図４】図１に示したパチンコ機の要部に関するシステム構成を示す説明図。
【発明を実施するための形態】
【００１０】
以下、図面を参照しながら本発明の実施形態を説明する。
本発明の実施形態は図示の内容を含むが、これのみに限定されるものではない。なお、以後の各図の説明で、既に説明した部位と共通する部分は同一符号を付して重複説明を一部省略する。
【００１１】
図１〜図４を参照して、本発明の遊技機に関する実施形態として、パチンコ機１を例に挙げて説明する。図１に示すように、本発明の実施形態に係るパチンコ機１は、正面上部に盤面１０、盤面１０の下部に玉入れ部２０、正面下部にハンドル（操作部）３０と選択スイッチ４０、などを有する。また、パチンコ機１の内部には、盤面１０に玉を排出するために打ち出す発射手段５０、発射手段５０で打ち出された玉を盤面へ排出するためのガイド５３，５４、制御部６０、などを有する。
【００１２】
ハンドル３０、発射手段５０、ガイド５３，５４などは、それぞれ２個ずつ備えられ、パチンコ機１の正面から見て左右線対称に配置されている。
【００１３】
盤面１０は、公知の遊技領域であり、釘や役物等が設けられている。盤面１０には、上部右側に右側排出口１１、上部左側に左側排出口１２が設けられており、それぞれの排出口１１，１２から玉を盤面１０上に排出可能としている。
【００１４】
玉入れ部２０は、遊技を行うための玉が貯留される。玉入れ部２０の右側には、玉入れ部２０に貯留された玉が送り込まれる右側発射手段（第１発射手段）５１が設けられ、右側発射手段５１と右側排出口１１との間には、右側発射手段５１から打ち出された球を右側排出口１１へ導くための右側ガイド５３が設けられている。またさらに、玉入れ部２０の左側には、玉入れ部２０に貯留された玉が送り込まれる左側発射手段（第２発射手段）５２が設けられ、左側発射手段５２と左側排出口１２との間には、左側発射手段５２から打ち出された球を左側排出口１２へ導くための左側ガイド５４が設けられている。
【００１５】
玉入れ部２０の底面は、右側発射手段５１に向かって傾斜する右側傾斜部（傾斜部）２１と、左側発射手段５２に向かって傾斜する左側傾斜部（傾斜部）２２を有する。右側傾斜部２１は、一端２０ａを中心にして可動し、右側駆動手段（駆動手段）２３によって動作される。右側駆動手段２３は、公知のプランジャーやギヤドモータで構成される。同様に、左側傾斜部（駆動手段）２２は、一端２０ａを中心にして可動し、左側駆動手段２４によって動作される。左側駆動手段２４は、公知のプランジャーやギヤドモータで構成される。
【００１６】
右側発射手段５１へ玉を送り込みたいときは、図２に示すように、右側傾斜部２１及び左側傾斜部２２を共に右下がりの傾斜となるよう右側及び左側駆動手段２３，２４を動作する。また、左側発射手段５２へ玉を送り込みたいときは、図３に示すように、右側傾斜部２１及び左側傾斜部２２を共に左下がりの傾斜となるよう右側及び左側駆動手段２３，２４を動作する。また、右側及び左側発射手段５１．５２の双方へ玉を送り込みたいときは、図１に示すように、右側傾斜部２１を右下がり、左側傾斜部２２を左下がりの傾斜となるよう右側及び左側駆動手段２３，１４を動作する。
【００１７】
ハンドル３０は、発射手段５０を操作するためのものであり、パチンコ機１の右側には、右側発射手段５１を操作する右側ハンドル（第１操作部）３１が設けられ、左側には、左側発射手段５２を操作する左側ハンドル（第２操作部）３２が設けられている。右側及び左側ハンドル３１，３２、右側及び左側発射手段５１，５２は公知のものであり、ハンドル３１，３２の操作量によって、発射手段５１，５２から発射される玉発射力の強弱を調整することができる。尚、右側ハンドル３１によって左側発射手段５２を操作可能とし、左側ハンドル３２によって右側発射手段５１を操作可能としてもよい。
【００１８】
選択スイッチ４０は、右側発射手段５１と左側発射手段５２を選択するためのスイッチとして機能する。具体的には、右側排出口１１から玉を盤面１０に排出させたいときには右側発射手段５１を選択し、左側排出口１２から玉を盤面１０に排出させたいときには左発射手段５２を選択することで、それぞれの排出口１１，１２から玉を排出させることが可能となる。右側発射手段５１と左側発射手段５２を同時に選択することで、それぞれの排出口１１，１２から同時にまたは交互に玉を排出させるようにしてもよい。
【００１９】
図４に示すように、制御部６０は、右側及び左側ハンドル３１，３２、選択スイッチ４０からの入力に基づいて、右側及び左側発射手段３１，３１、右側及び左側駆動手段２１，２２の動作を制御する。
【００２０】
まず、不図示の切り換えスイッチによって、右側発射手段５１を右側ハンドル３１にて操作可能となっていると共に、左側発射手段５２を左側ハンドル３２にて操作可能となっている場合を説明する。制御部６０は、選択スイッチ４０によって右側発射手段５１が選択されると、右側及び左側傾斜部２１，２２が共に右下がりとなるように右側及び左側駆動手段２３，２４を動作する（図２参照）。これによって、玉入れ部２０に貯留されている玉が右側発射手段５１に送り込まれる。これと同時に、左側ハンドル３２が操作されても、この操作信号は制御部６０で受信拒否される。右側ハンドル３１の操作信号は制御部６０で受信され、制御部６０は、右側ハンドル３１の操作量に基づいて右側発射手段５１から発射される玉の発射力を制御する。
【００２１】
また、制御部６０は、選択スイッチ４０によって左側発射手段５２が選択されると、右側及び左側傾斜部２１，２２が共に左下がりとなるように右側及び左側駆動手段２３，２４を動作する（図３参照）。これによって、玉入れ部２０に貯留されている玉が左側発射手段５２に送り込まれる。これと同時に、右側ハンドル３１が操作されても、この操作信号は制御部６０で受信拒否される。左側ハンドル３２の操作信号は制御部６０で受信され、制御部６０は、左側ハンドル３２の操作量に基づいて左側発射手段５２から発射される玉の発射力を制御する。
【００２２】
次に、不図示の切り換えスイッチによって、右側発射手段５１を左側ハンドル３２にて操作可能となっていると共に、左側発射手段５２を右側ハンドル３１にて操作可能となっている場合を説明する。制御部６０は、選択スイッチ４０によって右側発射手段５１が選択されると、右側及び左側傾斜部２１，２２が共に右下がりとなるように右側及び左側駆動手段２３，２４を動作する（図２参照）。これによって、玉入れ部２０に貯留されている玉が右側発射手段５１に送り込まれる。これと同時に、右側ハンドル３１が操作されても、この操作信号は制御部６０で受信拒否される。左側ハンドル３２の操作信号は制御部６０で受信され、制御部６０は、左側ハンドル３２の操作量に基づいて右側発射手段５１から発射される玉の発射力を制御する。
【００２３】
また、制御部６０は、選択スイッチ４０によって左側発射手段５２が選択されると、右側及び左側傾斜部２１，２２が共に左下がりとなるように右側及び左側駆動手段２３，２４を動作する（図３参照）。これによって、玉入れ部２０に貯留されている玉が左側発射手段５２に送り込まれる。これと同時に、左側ハンドル３２が操作されても、この操作信号は制御部６０で受信拒否される。右側ハンドル３１の操作信号は制御部６０で受信され、制御部６０は、右側ハンドル３１の操作量に基づいて左側発射手段５２から発射される玉の発射力を制御する。
【００２４】
次に、選択スイッチ４０によって、右側及び左側発射手段５１，５２の双方が選択されている場合を説明する。このとき、不図示の切り換えスイッチによって、右側発射手段５１を右側ハンドル３１にて操作可能であり、且つ左側発射手段５２を左側操作手段３２で操作可能となっている場合と、右側発射手段５１を左側ハンドル３２にて操作可能であり、且つ左側発射手段５２を右側操作手段３１で操作可能となっている場合と、の双方が含まれる。制御部６０は、選択スイッチ４０によって右側及び左側発射手段５１，５２が選択されると、右側及傾斜部２１が右下がりとなるように右側駆動手段２３を動作すると共に、左側傾斜部２２が左下がりとなるように左側駆動手段２４を動作する（図１参照）。これによって、玉入れ部２０に貯留されている玉が右側及び左側発射手段５１，５２の双方に送り込まれる。
【００２５】
以上、説明したように、本発明の実施形態に係るパチンコ機１は、盤面１０上に玉を打ち出して遊技するものであり、盤面１０の上部左右の異なる排出口１１，１２から玉を打ち出すことが可能な少なくとも二つの発射手段５０（右側及び左側発射手段５１，５２）と、発射手段５１，５２を操作するハンドル３０（３１，３２）を有する。また、発射手段５１，５２のうちの何れか一つまたは複数の発射手段５１，５２へ玉を送り込むために可動する傾斜部２１，２２を有する玉入れ部２０を備える。このようなパチンコ機１は、傾斜部２１，２２が右側発射手段５１又は左側発射手段５２、若しくは右側及び左側発射手段５１，５２の双方に向かって傾斜するように可動するので、選択された発射手段５１，５２への玉の供給を円滑に行うことができ、遊技が中断してしまうことを防止することができる。
【００２６】
また、本発明の実施形態に係るパチンコ機１は、傾斜部２１，２２を可動させる駆動手段２３，２４と、発射手段５１，５２を選択する選択スイッチ４０と、選択スイッチ４０が操作されることによって選択された発射手段５１，５２へ玉が送り込まれるよう駆動手段２３，２４を駆動する制御部６０を有する。このようなパチンコ機１は、発射手段５１，５２を選択することに連動して傾斜部２１，２２が可動して傾斜角度が変化する。このため、玉入れ部２０に貯留されている玉を正確に発射手段５１，５２へ送り込むことができる。
【００２７】
また、盤面１０の右側から玉を打ち出す右側発射手段５１と、盤面１０の左側から玉を打ち出す左側発射手段５２と、右側または左側発射手段５１，５２の何れか一方を操作する右側ハンドル３１と、右側または左側発射手段５１，５２の何れか他方を操作する左側ハンドル３２と、を有し、制御部６０は、選択スイッチ４０による右側及び左側発射手段５１，５２の選択結果に基づいて右側及び左側ハンドル３１，３２からの操作信号の受信可否を決定する。上記実施形態では、使用しない側の発射手段が動作しないので、パチンコ機１の誤動作を防止できる。
【００２８】
以上、本発明の実施形態について図面を参照して詳述してきたが、具体的な構成はこれらの実施形態に限られるものではなく、本発明の要旨を逸脱しない範囲の設計の変更等があっても本発明に含まれる。
また、上述の各図で示した実施形態は、その目的及び構成等に特に矛盾や問題がない限り、互いの記載内容を組み合わせることが可能である。
また、各図の記載内容はそれぞれ独立した実施形態になり得るものであり、本発明の実施形態は各図を組み合わせた一つの実施形態に限定されるものではない。
【００２９】
前述した実施形態では、右側及び左側ハンドル３１，２１と右側及び左側発射手段５１，５２が一対一で対応しているが、これに限られるものではない。
右側ハンドル３１によって右側及び左側の発射手段５１，５２の双方を操作可能としてもよい。また、左側ハンドル３２によって右側及び左側の発射手段５１，５２の双方を操作可能としてもよい。これらの切り換えは、選択スイッチ４０とは別に設けた切り換えスイッチ（不図示）によって行われるとよい。
【００３０】
このとき、制御部６０は、選択スイッチ４０によって右側及び左側発射手段５１，５２が選択されると、右側傾斜部２１が右下がりとなるように右側駆動手段２３を動作すると共に、左側傾斜部２２が左下がりとなるように左側駆動手段２４を動作する（図１参照）。これによって、玉入れ部２０に貯留されている玉が右側及び左側発射手段５１，５２の双方に送り込まれる。
【００３１】
また、駆動手段２１，２２は、右側駆動手段２１と左側駆動手段２２が設けられているが、一つの駆動手段で傾斜部２１，２２を可動させてもよい。また、傾斜部２１，２２は、右側傾斜部２１と左側傾斜部２２が設けられてそれぞれが独立して可動したが、右側傾斜部２１と左側傾斜部２２が一体であってもよい。
また、ハンドル３０は、右側ハンドル３１と左側ハンドル３２が設けられているが、どちらか一方のみが設けられていてもよい。
また、発射手段５０は、右側発射手段５１と左側発射手段５２が設けられているが、３つ以上であってもよい。このとき傾斜部は一つ以上の発射手段へ玉を送り込むように可動する。
【符号の説明】
【００３２】
１…パチンコ機、１０…盤面、２０…玉入れ部、２１…第１傾斜部（傾斜部）、２２…第２傾斜部（傾斜部）、２３…第１駆動手段（駆動手段）、２４…第２駆動手段（駆動手段）、３０…ハンドル（操作部）、３１…右側ハンドル（第１操作部）、３２…左側ハンドル（第２操作部）、４０…選択スイッチ、５０…発射手段、５１…右側発射手段（第１発射手段）、５２…左側発射手段（第２発射手段）、６０…制御部
【図１】
2016158791.tif 000003
【図２】
2016158791.tif 000004
【図３】
2016158791.tif 000005
【図４】
2016158791.tif 000006